(57)【要約】【課題】腐食や変色がなく耐久性が高く、側面パネル等の交換が簡単にでき、一部破損しても容易に修理可能で経済的な行灯を提供する。【解決手段】アルミ材から成る形材を組み合わせて形成された土台４４と、土台４４上に立設され、形材から成る側面中央の長手方向に嵌合溝２６を備えた複数の支柱２８を有する。支柱２８上部に固定された上部構造部１２と、上部構造部１２上方に載置され留め具２２により固定された天板１４を備える。支柱２８の互いに対向する嵌合溝２６に固定された止め金具３０により支持された連結部材３２と、支柱２８の嵌合溝２６及び連結部材３２の嵌合溝３６それぞれに嵌合し取り付けられたパネル３８を、着脱自在に備える。【選択図】図１
0003117727.tif 000002
【実用新案登録請求の範囲】
【請求項１】
アルミ材から成る形材を組み合わせて形成された土台と、前記土台上に立設され、前記形材から成る側面中央の長手方向に嵌合溝を備えた複数の支柱と、前記支柱上部に固定された上部構造部と、前記上部構造部上方に載置され留め具により固定された天板と、前記支柱の互いに対向する前記嵌合溝に固定された止め金具により支持された連結部材と、前記支柱の嵌合溝に嵌合し取り付けられたパネルとを備え、前記パネルが着脱可能に形成されたことを特徴とする行灯。
【請求項２】
前記形材は、相対する一組の側面それぞれの中央に嵌合溝が形成され、長手方向の水平断面が略H字型に形成されたＨ字柱体と、直角を成す２辺にそれぞれ嵌合溝を備え、長手方向の水平断面が１／４円状の扇型に形成された扇型柱体の２種類から成り、前記パネルは、前記連結部材の嵌合溝にも挿入されることを特徴とする請求項１記載の行灯。
【考案の詳細な説明】
【技術分野】
【０００１】
この考案は、店先などに置かれ、店の宣伝や目印等として使用される行灯に関する。
【背景技術】
【０００２】
従来、和食処等の店先に置かれる行灯は、店を表す模様や屋号が描かれ、店の場所を示す目印や、店の宣伝に使用されている。また、内部に光源が組み込まれ、点灯または消灯により店の開店または閉店を示す目印に用いられている。
【特許文献１】実開昭６１−５３８１３号公報
【特許文献２】実開昭６２−８３６９８号公報
【考案の開示】
【考案が解決しようとする課題】
【０００３】
上記従来の行灯は、その店の注文に応じて製作され、一般に、構造材として木や鉄、樹脂などが使用されていた。そのため、店先に置かれた行灯は、雨晒しにされる場合が多く、腐食や変色を起こし、見苦しくなる問題があった。また、側面には、模様や屋号が描かれた樹脂製などのパネルが一般に取り付けられるが、破損した場合は、構造材の一部を分解して、交換する必要があり、煩わしいものであった。さらに、樹脂により箱形に成型された行灯では、一部が破損しても、修理が難しく、買い換えなどが生じて経済的ではなかった。そのほか、木や鉄などの構造材で形成された行灯は、重量があり持ち運びに不便なものであった。
【０００４】
この考案は、上記従来の技術に鑑みて成されたもので、腐食や変色がなく耐久性が高く、側面パネル等の交換が簡単にでき、一部破損しても容易に修理可能で経済的な行灯を提供することを目的とする。
【課題を解決するための手段】
【０００５】
この考案は、アルミ材から成る形材と、前記形材を組み合わせて形成された土台と、前記土台上に立設され、前記形材から成る側面中央の長手方向に嵌合溝を備えた複数の支柱と、前記支柱上部に固定された上部構造部と、前記上部構造部上方に載置され留め具により固定された天板と、前記支柱の互いに対向する前記嵌合溝に固定された止め金具により支持された連結部材と、前記支柱の嵌合溝及び前記連結部材の嵌合溝それぞれに嵌合し取り付けられたパネルとを備え、前記パネルが着脱可能に形成された行灯である。
【０００６】
前記形材は、相対する一組の側面それぞれの中央に嵌合溝が形成され、長手方向の水平断面が略H字型に形成されたＨ字柱体と、直角を成す２辺にそれぞれ嵌合溝を備え、長手方向の水平断面が１／４円状の扇型に形成された扇型柱体の２種類から成るものである。
【考案の効果】
【０００７】
この考案の行灯によれば、構造材がアルミ製のため、腐食や変色がなく耐久性が高く、僅かな種類の形材を組み合わせるだけで骨格が形成されるため簡単な構造であり、側面の樹脂製パネルの交換も容易であり、表示の切り替えが簡単に可能であり、破損した場合も簡単に側面パネルの交換ができる。また、アルミ製の構造材により軽量なため、移動も容易であり、設置位置の変更が簡単にできるものである。
【考案を実施するための最良の形態】
【０００８】
以下、この考案の行灯の一実施形態について、図１〜図４に基づいて説明する。この実施形態の行灯は、店先などに設置して、店の案内や目印として使用されるものである。この実施形態の行灯１０は、図１、図２に示すように、最上部の上部構造部１２は、図３（ａ）に示すように、適宜な厚みを有し四角形に形成された、例えば透明アクリル樹脂からなる天板１４が、後述する扇型柱体１６の支柱２８に固定されている。枠１８は、長手方向の水平断面が１／４円状の扇型に形成されたアルミ製形材から成る扇型柱体１６を正方形に組み合わせて形成され、天板１４が止水ゴム２０を介して、留め具２２により支柱２８に固定されている。
【０００９】
また、扇型柱体１６は、水平断面のちょうど中心近傍の長手方向に貫通孔２４が形成されている。さらに、扇型柱体１６の円弧面を挟む各平面中央には、長手方向に適宜な深さと幅の嵌合溝２６がそれぞれ形成されている。また、止水ゴム２０は、断面がキノコ型に形成され、天板１４に面した扇型柱体１６の平面中央の嵌合溝２６に挿入されている。枠１８の内側四隅それぞれには、扇型形材１６により形成された適度な長さの支柱２８が、円弧面を外側に向けて配置され、支柱２８の上端で上部構造部１２を支持可能に取り付けられている。また、支柱２８の上端部には、枠１８を保持した図示しない金具が設けられ、枠１８を形成する扇型柱体１６の嵌合溝２６を利用して固定されている。
【００１０】
各支柱２８間には、図１、図２に示すように、下端からわずかに上方の適宜な同位置に、それぞれ嵌合溝２６に嵌合した止め金具３０により、連結部材３２の両端が固定され取り付けられている。図３（ｂ）に示すように、連結部材３２は、断面が正方形状に形成された一組の相対する側面それぞれに、側面中央の長手方向に嵌合溝３６が形成され、水平断面が略H字型に形成されたアルミ製形材から成るＨ字柱体３４により形成されている。Ｈ字柱体３４の断面中央には、長手方向へ貫通孔２４が設けられ、貫通孔２４と両面の嵌合溝２６を挟む両隣に矩形の貫通穴３７が長手方向に形成されている。
【００１１】
支柱２８と上部構造部１２と連結部材３２に囲まれた行灯１０の各側面１０ａには、図１、図４に示すように、例えば、アクリル樹脂などから形成され、表面に屋号やその他の絵柄が描かれ適宜な厚みを有したパネル３８が、嵌合溝２６，３６に挿入されて取り付けられている。
【００１２】
また、図３（ｂ）に示すように、各連結部材３２の行灯１０内側の側面には、Ｌ字金具４０に支持されたアルミ製や樹脂製の平板から成る中底４２が水平方向に取り付けられて設けられている。さらに、この中底４２には、図示しない光源機器であるランプなどが取り付けられている。
【００１３】
各支柱２８の下方端部は、略四角台形に形成された土台４４の上面四隅近傍に取り付けられている。土台４４は、扇型柱体１６及びＨ字柱体３４の２種の構造材により形成されている。図１、図３（ｃ）に示すように、土台４４は、側面が２段の階段状に形成され、段差面は円弧状に形成されている。この土台４４は、１段目に、Ｈ字柱体３４同士を嵌合溝３６が一致する状態に２列に並べ、それを一辺とする四角形が形成されている。そしてその外周には、扇型柱体１６の直角の各面の一方をＨ字柱体３４に面し、他方を下側に向くように各々設けられている。２段目は、１列のＨ字柱体３４により四角形を形成し、１段目の内側のＨ字柱体３４上に載置され、その外周に扇型柱体１６の互いに直交する各面の一方を、Ｈ字柱体３４に面し、他方を下段の外側のＨ字柱体３４に面する状態に各々設けられている。
【００１４】
また、２段目のＨ字柱体３４の内側には、Ｌ字金具４６を介してアルミ製の平板から成る底板４８が設けられ、ちょうど、２段目のＨ字柱体３４の上面とほぼ面一に成るように形成されている。この土台には、図示しない電源コードの端部が接続され、図示しない行灯内部に組み込まれた光源機器などに電力を供給可能に形成されている。
【００１５】
この実施形態の行灯１０によれば、扇型柱体１６及びＨ字柱体３４の構造材がアルミ製のため、腐食や変色の耐久性が高く、２種類の形材からなる柱体を組み合わせて形成されるシンプルな構造であり、側面のパネル３８が破損しても簡単に交換できるものである。そのため、違う意匠のパネル３８を用意すれば、表示変更が容易にでき、新たに行灯１０を買い換える必要がないため、経済的である。さらに、アルミ製の構造材は、丈夫で軽量なため、移動も容易にできるものである。
【００１６】
なお、この考案の行灯は上記実施形態に限定されるものではなく、各構造部材の長さや太さは、使用するパネルの大きさや形に合わせて、適宜設定可能なものである。また、パネルの材質、及び厚みは嵌合溝に挿入支持可能であれば適宜選択可能なものである。
【図面の簡単な説明】
【００１７】
【図１】この考案の一実施形態の行灯を示す概略斜視図である。
【図２】この実施形態の行灯を示す概略側面図である。
【図３】この実施形態の行灯の構造を示す上部構造部の部分断面図（ａ）、中底の部分断面図（ｂ）、土台の部分断面図（ｃ）である。
【図４】この実施形態の行灯を示す水平断面図である。
【符号の説明】
【００１８】
１０  行灯
１２  上部構造部
１４  天板
１６  扇型柱体
１８  枠
２２  留め具
２６  嵌合溝
２８  支柱
３０  止め金具
３２  連結部材
３４  Ｈ字柱体
３８  パネル
４４  土台
【図１】
0003117727.tif 000003
【図２】
0003117727.tif 000004
【図３】
0003117727.tif 000005
【図４】
0003117727.tif 000006